(57)【特許請求の範囲】
【請求項１】
パネル(1)の背面側に三角筒状の補強筒(2)を沿わせて、パネル(1)の撓みを防止する展示具において、前記補強筒(2)は、パネル(1)の背面側から順次延びる基柱板(23)、中柱板(24)及び先柱板(25)を巻き込むように折り曲げ、先柱板(25)をパネル(1)の背面側に沿わせ、中柱板(24)の先柱板(25)との境界側に係合切込(2a)を設けたものとし、パネル(1)の背面側にストッパ板(4)を設け、ストッパ板(4)の補強筒(2)側をパネル(1)の背面から離反する方向に弾性的に撓むようにし、このようにパネル(1)の背面から離反する方向に撓むストッパ板(4)の端部の先端に係合突起(4a)を設けておき、使用時には、補強筒(2)を三角筒状に組み立て、係合突起(4a)を係合切込(2a)に係合させて、補強筒(2)の組立形状を保持し、非使用時には、係合突起(4a)と係合切込(2a)の係合を解除し、補強筒(2)を偏平に折り畳んで、ストッパ板(4)でパネル(1)の背面側に沿うように押さえ、折畳状態に保持するようにしたことを特徴とする展示具。
【請求項２】
請求項１に記載の展示具において、パネル(1)の両側部に補強筒(2)を設け、ストッパ板(4)は、両側の補強筒(2)に亘るものとし、パネル(1)の幅方向中間部で、ストッパ板(4)とパネル(1)の背面の間に折重板(42)を介在させ、ストッパ板(4)の補強筒(2)に臨む両端部とパネル(1)の背面との間に形成された間隙部に、非使用時に偏平に折り畳んだ補助筒(2)が収納されるようにしたことを特徴とする展示具。
【請求項３】
請求項１又は２に記載の展示具において、パネル(1)の正面側にトレイ部(3)を設け、使用時には、トレイ部(3)の底板(35a)を固定して、トレイ部(3)を組立状態とし、非使用時には、トレイ部(3)の底板(35a)の固定を解除して、トレイ部(3)を折畳状態とすることにより、偏平状態に変形できるようにしたことを特徴とする展示具。
【発明の詳細な説明】
【技術分野】
【０００１】
この発明は、店舗の売場での広告、商品展示等に使用する展示具に関するものである。
【背景技術】
【０００２】
店舗の売場に設置されるＰＯＰ広告を兼ねた商品の展示具として、図７に示すようなものが下記特許文献１に記載されている。この展示具は、縦長のパネル５１を備えており、その長さ方向の撓みを防止するため、パネル５１の両側の延長部を背面側へ三角筒状に巻き込むように折り曲げて補強筒５２を形成し、パネル５１の背面に補強筒５２の重なる部分を貼り付けて、補強筒５２の組立形状を保持している。
【０００３】
ところで、このような展示具では、店舗の売場での展示作業の負荷を軽減するため、製造に際して、パネル５１に補強筒５２を組立状態で予め貼り付けていることから、店舗への輸送時に嵩張るほか、補強筒５２が押し潰されることもある。
【０００４】
その対策として、下記特許文献２では、図８に示すように、パネル６１の両側の延長部を背面側へ巻き込んで三角筒状の補強筒６２を形成する展示具において、補強筒６２を組み立てる前の偏平な状態で店舗へ輸送し、店舗に到着した後、補強筒６２を巻き込むように折り曲げ、商品吊下用のフック６３の基部に形成されたＬ字状の脚部６４を、パネル６１と補強筒６２の重合部に穿設された貫穴６５に差し込んで、補強筒５２の組立形状を保持するものが提案されている。
【先行技術文献】
【特許文献】
【０００５】
【特許文献１】特開２０１１−２２４０７５号公報
【特許文献２】特許第３７５１３５４号公報
【発明の概要】
【発明が解決しようとする課題】
【０００６】
しかしながら、上記引用文献２に記載されたような構成は、フックを使用して商品を吊り下げる展示具にのみ適用可能なものであり、パネルの正面側に設けたトレイ部に商品を収納して展示するような展示具には適用できないという問題がある。
【０００７】
そこで、この発明は、付属具に依存することなく、偏平な状態で輸送して、店舗の売場で迅速にパネルの補強構造を形成できる展示具を提供することを課題とする。
【課題を解決するための手段】
【０００８】
上記のような課題を解決するため、この発明は、パネルの背面側に三角筒状の補強筒を沿わせて、パネルの撓みを防止する展示具において、前記補強筒は、パネルの背面側から順次延びる基柱板、中柱板及び先柱板を巻き込むように折り曲げ、先柱板をパネルの背面側に沿わせ、中柱板の先柱板との境界側に係合切込を設けたものとし、パネルの背面側にストッパ板を設け、ストッパ板の補強筒側をパネルの背面から離反する方向に弾性的に撓むようにし、このようにパネルの背面から離反する方向に撓むストッパ板の端部の先端に係合突起を設けておき、使用時には、補強筒を三角筒状に組み立て、係合突起を係合切込に係合させて、補強筒の組立形状を保持し、非使用時には、係合突起と係合切込の係合を解除し、補強筒を偏平に折り畳んで、ストッパ板でパネルの背面側に沿うように押さえ、折畳状態に保持するようにしたのである。
【０００９】
また、前記パネルの両側部に補強筒を設け、ストッパ板は、両側の補強筒に亘るものとし、パネルの幅方向中間部で、ストッパ板とパネルの背面の間に折重板を介在させ、ストッパ板の補強筒に臨む両端部とパネルの背面との間に形成された間隙部に、非使用時に偏平に折り畳んだ補助筒が収納されるようにしたのである。
【００１０】
また、パネルの正面側にトレイ部を設け、使用時には、トレイ部の底板を固定して、トレイ部を組立状態とし、非使用時には、トレイ部の底板の固定を解除して、トレイ部を折畳状態とすることにより、偏平状態に変形できるようにしたのである。
【発明の効果】
【００１１】
この発明に係る展示具では、非使用時において、補強筒がストッパ板で偏平に折り畳まれた状態に保持されるため、店舗への輸送に際し、嵩張ることがなく、補強筒が潰れることもない。そして、店舗の売場で使用する際には、補強筒をパネルの背面とストッパ板の間から引き出して三角筒状に組み立て、係合突起と係合切込とを係合させるだけで、補強筒の組立形状が保持されるので、展示作業を迅速に行うことができる。
【図面の簡単な説明】
【００１２】
【図１】この発明の実施形態に係る展示具の組立状態を正面側から示す斜視図
【図２】同上の展示具の組立状態を背面側から示す斜視図
【図３】同上の展示具の折畳状態を示す斜視図
【図４】同上の展示具の補強筒の（ａ）折畳状態、（ｂ）折畳状態と組立状態の中間状態、（ｃ）組立状態をそれぞれ示す図２のIII−III線に沿った横断平面図
【図５】同上の展示具の各構成部材のブランクを示す図
【図６】同上の組立過程を示す分解斜視図
【図７】特許文献１に係る展示具を背面側から示す斜視図
【図８】特許文献２に係る展示具を正面側から示す斜視図
【発明を実施するための形態】
【００１３】
以下、この発明の実施形態を添付図面に基づいて説明する。
【００１４】
この展示具は、図１及び図２に示すように、パネル１の背面の両側部に三角筒状の補強筒２を沿わせて、パネル１の撓みを防止し、パネル１の正面に設けた上下二段のトレイ部３にボトル入り洗剤等の商品を収納して展示するものであり、パネル１及びトレイ部３の表面には、広告の印刷が施される。なお、展示時には、正面側が前方へ向けられ、背面側が後方へ向けられるため、以下の説明において、各部材の方向はこの方向で示す。
【００１５】
図５は、この展示具を構成する正面基材１１、背面基材２１、トレイ部材３１、一対の側面補強板３３ａ及び２個のストッパ部材４１のブランクを示し、図６は、これらの組立過程における分解状態を示している。
【００１６】
正面基材１１は、板紙を２枚貼り合わせた合紙から成り、そのブランクでは、縦長の正面パネル部１２の下端に底板３５ｄが連設されている。正面パネル部１２には、凸型状の係止穴１２ａが２つ横に並べて設けられ、その上方に４個の紐穴５が縦横２個ずつ並べて設けられている。また、正面パネル部１２の両側部には、後述するトレイ部材３１の取付片３４を貼り付ける際、位置決めするための目印が刻設されている。
【００１７】
背面基材２１は、板紙を３枚貼り合わせた合紙から成り、そのブランクでは、正面基材１１の正面パネル部１２に対応する縦長の背面パネル部２２の両側に、補強筒２となる部分が連設されている。補強筒２には、背面パネル部２２側から基柱板２３、中柱板２４及び先柱板２５が順次連設され、中柱板２４の先柱板２５との境界側には、弧状の切目により係合切込２ａが形成されている。
【００１８】
背面パネル部２２には、正面基材１１の係止穴１２ａに対応して２個の窓穴２２ａが設けられ、その上方に、正面基材１１の紐穴５に対応して４個の紐穴５が縦横２個ずつ並べて設けられている。背面パネル部２２の上部には、幅方向の中央部に横長の紐穴６が設けられている。また、背面パネル部２２には、後述するストッパ部材４１の折重板４２を貼り付ける際、位置決めするための目印が刻設されている。
【００１９】
トレイ部材３１は、板紙を２枚貼り合わせた合紙から成り、そのブランクでは、上段及び下段のトレイ部３の正面を形成する前面板３２の両側に、それぞれのトレイ部３の側面を形成すると共に、これらを繋ぐように縦方向に延びる側面板３３が連設され、側面板３３の外側に取付片３４が連設されている。
【００２０】
上段及び下段のトレイ部３の前面板３２の上端には、それぞれ内前板３２ａ及び底板３５ａが順次連設されている。
【００２１】
上段のトレイ部３となる部分において、底板３５ａの後端となる端辺には後当板３６が連設され、底板３５ａの両側には、側当片３３ｂが連設されている。後当板３６には、正面基材１１の係止穴１２ａと上下対称となるように、凹型状の係止穴３６ａが２つ横に並べて設けられている。前面板３２の下端には、中前板３２ｂが連設されている。
【００２２】
下段のトレイ部３となる部分において、前面板３２の下端には底板３５ｂが、側面板３３の下端には底板３５ｃがそれぞれ連設されている。
【００２３】
側面補強板３３ａは、板紙を２枚貼り合わせた合紙から成り、側面板３３に対応する形状とされ、後端となる端辺を突き合わせた状態で、対称形状のものが一対同時に打ち抜かれて形成される。
【００２４】
ストッパ部材４１は、板紙を３枚貼り合わせた合紙から成り、そのブランクでは、横長のストッパ板４の両側の短辺に膨出弧状の端縁を有する係合突起４ａが設けられ、ストッパ板４の一方の長辺中間部に２枚の折重板４２が順次連設されている。ストッパ板４と折重板４２の境界及び折重板４２同士の境界は、繋部を除いて切断されている。
【００２５】
上記ブランクから展示具を製造する際には、図３に示す折畳状態とするため、トレイ部材３１において、側面板３３の裏面に側面補強板３３ａを貼り合わせ、前面板３２の裏面側へ一方の側面板３３を折り曲げ、他方の側面板３３から取付片３４を裏面側へ折り曲げて、取付片３４を正面基材１１の正面パネル部１２の後面に貼り付ける。
【００２６】
次に、正面基材１１と背面基材２１とを、正面パネル部１２の後面に背面パネル部２２の前面を貼り合わせて固着し、正面パネル部１２と背面パネル部２２からパネル１を形成する。この際、正面パネル部１２と背面パネル部２２の間に取付片３４を挟み込む。
【００２７】
また、背面基材２１において、両側の補強筒２の基柱板２３を後方内側へ折り曲げ、中柱板２４から先柱板２５を巻き込むように折り曲げて、背面パネル部２２の後面に先柱板２５を重ね、補強筒２を折畳状態とする。
【００２８】
そして、ストッパ部材４１において、ストッパ板４に２枚の折重板４２を折り重ね、折重板４２を背面パネル部２２の後面に貼り付けることにより、ストッパ板４の補強筒２に臨む両端部とパネル１の背面との間に間隙部が形成された状態とする。
【００２９】
その後、背面パネル部２２とストッパ板４の間に挟み込んだ補強筒２をストッパ板４で押さえることにより、偏平な折畳状態に保持する（図４（ａ）参照）。また、図３に示すように、紐穴５，６には、吊下用の紐を挿通しておく。
【００３０】
このように、展示具を折畳状態としておくと、補強筒２及びトレイ部３がパネル１に重なって偏平となっているので、展示具の店舗への輸送に際し、嵩張ることがなく、補強筒２が潰れることもない。
【００３１】
一方、この展示具を店舗の売場で使用する際には、図４（ｂ）に示すように、補強筒２の中柱板２４を内側から外側へ引っ張り、ストッパ板４を撓ませつつ、先柱板２５を背面パネル部２２に沿ってスライドさせ、背面パネル部２２とストッパ板４の間から中柱板２４を引き出し、これに伴い、補強筒２を三角筒状に形成し、図４（ｃ）に示すように、係合突起４ａを係合切込２ａに係合させて、補強筒２の組立形状を保持する。
【００３２】
そして、図１及び図２に示すように、パネル１を起立させ、上段及び下段のトレイ部３を形成するため、パネル１から側面板３３を前方へ迫り出させる。
【００３３】
上段のトレイ部３の組み立てに際しては、前面板３２の下端から中前板３２ｂを前面板３２の後面に沿うように上方へ折り曲げ、前面板３２の上端から内前板３２ａを後下方へ折り曲げて、前面板３２と内前板３２ａの間に中前板３２ｂを挟み込む。
【００３４】
また、底板３５ａを後方へ折り曲げ、側当片３３ｂを上方へ折り曲げて側面補強板３３ａの内面に沿わせると共に、底板３５ａの後端から後当板３６を上方へ折り曲げて、正面パネル部１２の前面に沿わせ、係止穴１２ａ，３６ａに対し、その内側の舌片状部分を互いに差し込んで、底板３５ａを水平状態に固定する。係止穴１２ａ，３６ａと舌片状部分の係合状態は、窓穴２２ａを介して確認することができる。
【００３５】
下段のトレイ部３の組み立てに際しては、底板３５ｂ，３５ｃ，３５ｄをトレイ部３の底面を閉じる方向へ折り曲げて、これらを噛み合わせ、前面板３２の上端から内前板３２ａを後下方へ折り曲げ、底板３５ａを後方へ折り曲げて底板３５ｂ，３５ｃ，３５ｄに載せ、水平状態に固定する。
【００３６】
このような展示具では、店舗の売場で使用する際、補強筒２をパネル１の背面とストッパ板４の間から引き出して三角筒状に組み立て、係合突起４ａと係合切込２ａとを係合させるだけで、補強筒２の組立形状が保持され、パネル１の撓みが防止される。そして、トレイ部３を組み立てることにより、展示作業を迅速に行うことができる。
【００３７】
また、紐穴５，６に挿通した紐で吊り下げ、トレイ部３に重い商品を収納しても、展示具が剛性の高いものとなっているので、パネル１やトレイ部３が変形することがなく、安定した状態で、美観に優れた展示を行うことができる。
【００３８】
そして、この展示具を使用しない場合には、係合突起４ａと係合切込２ａの係合を解除し、図４（ｂ）に示すように、背面パネル部２２とストッパ板４の間に中柱板２４を進入させ、図４（ａ）に示すように、補強筒２を偏平に折り畳んでストッパ板４で押さえ、図３に示すように、底板３５ａを跳ね上げて、トレイ部３を偏平に折り畳むことにより、組立前の状態に戻し、嵩張らない状態で保管しておくことができる。
【００３９】
なお、上記実施形態では、展示具として、パネル１に商品を収納するトレイ部３を設けたものを例示したが、上記のような補強筒２によるパネル１の補強構造は、パネル１に取り付けたフックに商品を吊り下げて展示する展示具や、キャラクター等を印刷したパネル１のみを立て掛けておく展示具に使用することもできる。
【００４０】
また、パネル１が正面パネル部１２と背面パネル部２２の貼り合わせにより形成されるものを例示したが、パネル１を１枚の板材から形成し、その両側に補強筒２となる部分を連設した構成としてもよい。
【符号の説明】
【００４１】
１  パネル
２  補強筒
２ａ  係合切込
３  トレイ部
４  ストッパ板
４ａ  係合突起
５，６  紐穴
１１  正面基材
１２  正面パネル部
１２ａ  係止穴
２１  背面基材
２２  背面パネル部
２２ａ  窓穴
２３  基柱板
２４  中柱板
２５  先柱板
３１  トレイ部材
３２  前面板
３２ａ  内前板
３２ｂ  中前板
３３  側面板
３３ａ  側面補強板
３３ｂ  側当片
３４  取付片
３５ａ，３５ｂ，３５ｃ，３５ｄ  底板
３６  後当板
３６ａ  係止穴
４１  ストッパ部材
４２  折重板
【図１】
0006290014.tif 000002
【図２】
0006290014.tif 000003
【図３】
0006290014.tif 000004
【図４】
0006290014.tif 000005
【図５】
0006290014.tif 000006
【図６】
0006290014.tif 000007
【図７】
0006290014.tif 000008
【図８】
0006290014.tif 000009